【事件の表示】
　特願２０１６−２３８７２号「２段伸縮ホームドア装置」拒絶査定不服審判事件〔平成２８年７月２１日出願公開、特開２０１６−１３０１２８号〕について、次のとおり審決する。
【結　論】
　本件審判の請求は、成り立たない。
【理　由】
第１．手続の経緯及び本願発明 
　本願は、平成２５年１１月６日を出願日とする特願２０１３−２３００９９号（以下「原出願」という。）の一部を平成２８年２月１０日に新たな特許出願としたものであって、同年１１月８日付けで拒絶理由が通知され、平成２９年１月１６日に意見書が提出され、同年４月１３日付けで拒絶査定（以下「原査定」という。）がされ、同年７月２４日に拒絶査定不服審判の請求がされると同時に手続補正書が提出されたものである。
　そして、本願の請求項１〜３に係る発明は、平成２９年７月２４日付けの手続補正により補正された特許請求の範囲の請求項１〜３に記載された事項により特定されるとおりのものであるところ、請求項１に係る発明（以下「本願発明」という。）は、次のとおりのものである。  
＜本願発明＞
「戸袋に収納された二段伸縮の扉部を駆動機構によりスライドさせて乗降用の開口部を開閉する２段伸縮ホームドア装置において、
　前記扉部は、第１段扉の内部に第２段扉がスライドして収納され、かつ、前記第１段扉が前記戸袋に対してスライド可能に支持されるとともに前記第２段扉が前記第１段扉に対してスライド可能に支持され、
　前記駆動機構は、
　前記戸袋に固定設置されて電動機により前記戸袋に対して前記第１段扉をスライドさせる第１段扉駆動部と、
　前記戸袋内に固定設置されたラックギアに前記第１段扉に取り付けられたピニオンギアを噛合させ、前記第１段扉の移動に伴い前記ラックギアが前記ピニオンギアを回転させるラック＆ピニオン機構、前記ピニオンギアと同軸であり前記ピニオンギアと共に回転する駆動側シーブと、前記駆動側シーブの回転によって駆動されるタイミングベルトとを備えているタイミングベルト機構、前記第２段扉及び前記タイミングベルト機構の前記タイミングベルトに固定されて双方を連結する連結固定部材を備えている第２段扉駆動部と、を具備して構成されることを特徴とする２段伸縮ホームドア装置。」 
第２．原査定の拒絶の理由  
　原査定の拒絶の理由は、平成２８年１１月８日付けの拒絶理由通知における理由であり、概略、本願発明は、その原出願の出願前に日本国内又は外国において、頒布された下記の引用文献１に記載された発明及び引用文献２に記載された事項に基いて、その出願前にその発明の属する技術の分野における通常の知識を有する者が容易に発明をすることができたものであるから、特許法第２９条第２項の規定により特許を受けることができないというものである。　  
引用文献１：特開２０００−１０８８９０号公報  
引用文献２：特開２００４−４２８４１号公報
第３．引用文献  
１．引用文献に記載された事項及び引用発明 
（１）引用文献１には、図面とともに次の事項が記載されている。  
（１ａ）「【請求項１】
鉄道のプラットホームに設置される衝立状の戸袋と、この戸袋に出入り自在に収納される引き戸式のドアとからなるプラットホーム用開閉柵において、
前記ドアを前記戸袋にスライド可能に支持させた後ドアと、この後ドアにスライド可能に支持させた前ドアとからなる２段式ドアとするとともに、前記戸袋内に設置した駆動源で前記後ドアを駆動して出入り動作させ、この後ドアの出入り動作に連動させて前記前ドアを出入り動作させるようにした
プラットホーム用開閉柵
（１ｂ）「【０００１】
【発明の属する技術分野】この発明は、乗降客の線路上への転落や列車との接触を防止するために鉄道のプラットホームに装備される開閉可能な安全柵（開閉柵というものとする。）に関する。」
（１ｃ）「【００１１】
【発明の実施の形態】以下、図１〜図４に基づいて、この発明の実施の形態を説明する。ここで、図１は戸袋の側壁を破断して示した開閉柵のドア引き出し状態の正面図、図２は図１のII−II線に沿う断面図、図３は同じく III−III 線に沿う断面図、図４は同じくIV−IV線に沿う断面図である。これらの図において、開閉柵は衝立状の戸袋１と、この戸袋１に出入り自在に収納される前後２枚の引き戸式のドア２（後ドア）及び３（前ドア）とからなり、戸袋１はプラットホーム４の床面に図示しないボルトにより固定されている。後ドア２及び前ドア３は、ドア開時は偏平な中空体からなる戸袋１内に引き入れられ、ドア閉時には図１及び図２の右端の開口５から図示の通り押し出される。ここで、後ドア２は戸袋１にスライド可能に支持され、前ドア３は後ドア２にスライド可能に支持されており、後ドア２は戸袋内に設置された駆動源で駆動されて出入り動作し、前ドア３は後ドア２の出入り動作に連動して出入り動作するようになっているが、以下、その機構について説明する。
【００１２】まず、戸袋１の一方の側壁の内壁面上部に、後ドア２を案内支持するスライドレール６が固定され、これに対応して後ドア２の側面上部の後側に前後一対のスライド軸受７が固定されている。スライド軸受７は、図４に示すようにスライドレール６と嵌合し、その上を後ドア２を吊り下げながらスライドする。図示しないが、スライド軸受７は無限循環運動をする多数のボールを介してスライドレール６と転がり接触するもので、このようなスライドレール６及びスライド軸受７はいずれも公知である。スライド軸受７によりスライドレール６に吊り下げ支持された後ドア２は、底部に固定された前後一対の回転輪８が戸袋１の下部に固定されたＵ字断面のガイドレール９にスライド可能に嵌め込まれ、左右方向に振れ止めされている。
【００１３】一方、
後ドア２には
前ドア３の出入り方向に沿ってボールねじ付きのスライドレール１０が固定され、これに対応して前ドア２の対向側面に前後一対のスライド軸受１１が固定されている。スライドレール１０はその前面に平行に送りねじとしてのボールねじ１２を有し、このボールねじ１２はスライドレール１０の両端の軸受けに回転自在に支持されている。めねじ部を内蔵するスライド軸受１１は、このめねじ部を介してボールねじ１２と螺合するとともに、スライドレール１０と嵌合し、
【００１４】次に、
ボールねじ１２の後部側の軸端には傘歯車１５が取り付けられるとともに、一端に傘歯車１５と噛み合う傘歯車１６が取り付けられ、他端に平歯車１７が取り付けられた歯車軸１８がボールねじ１２と直交するように設けられ、この歯車軸１８は後ドア２に固着された支持アーム１９に転がり軸受２０
を介して支持されている。平歯車１７はスライドレール６が取り付けられた戸袋２
の側壁と反対側の側壁の内壁面に近接するとともに、この内壁面には後ドア２の開閉ストロークに相応する長さのラック２１が固定され、
戸袋１の上部には戸袋２
を駆動する駆動源としてのリニアモータ２２が設けられている。
【００１５】上述した開閉柵の開閉動作は以下の通りである。図１の閉状態からリニアモータ２２を起動し、後ドア２を左方向に駆動すると、後ドア２はスライド軸受７を介してスライドレール６上を摺動し、戸袋１内に引き入れられる。それと同時に、
後ドア２と一体に移動する平歯車１７は戸袋１に固定されたラック２１との噛み合いにより回転し
（１ｄ）「【００１７】また、前ドア３を駆動し、前ドア３が一定距離移動した時点で後ドア２を引っ張り（ドア閉時）あるいは押して（ドア開時）、後ドア２を移動させるような構成は開閉動作が逐次的となるのに対し、図示実施の形態においては、後ドア２が移動を始めると、前ドア３もこれに連動して直ちに移動を始めるので、後ドア２と前ドア３とは同時平行的に開閉動作を行う。従って、図示実施の形態によれば、上記逐次的な動作を行うものに比べてドアの開閉動作が迅速になる。
後ドア２の駆動源としては、リニアモータ２２に限らず回転式モータも勿論使用可能である。
（１ｅ）以下の【図１】及び【図２】が図示されている。 
（１ｆ）記載事項（１ａ）【請求項１】の「前記戸袋内に設置した駆動源」に関し、記載事項（１ｃ）段落【００１４】には「戸袋１の上部には後ドア２を駆動する駆動源としてのリニアモータ２２が設けられている。」と記載され、記載事項（１ｄ）には「後ドア２の駆動源としては、リニアモータ２２に限らず回転式モータも勿論使用可能である。」と記載されているから、上記「前記戸袋内に設置した駆動源」として「回転式モータ」である態様が開示されているといえる。
　以上の記載事項、認定事項及び図面の記載を総合すると、引用文献１には以下の発明が開示されていると認められる（以下「引用発明」という。）。  
「鉄道のプラットホーム４に設置される衝立状の戸袋１と、この戸袋１に出入り自在に収納される引き戸式のドア２、３とからなるプラットホーム用開閉柵において、
前記ドア２、３を前記戸袋１にスライド可能に支持させた後ドア２と、この後ドア２にスライド可能に支持させた前ドア３とからなる２段式ドアとするとともに、前記戸袋１内に設置した駆動源で前記後ドア２を駆動して出入り動作させ、この後ドア２の出入り動作に連動させて前記前ドア３を出入り動作させるようにした機構であって、
前記戸袋１内に設置した回転式モータで前記後ドア２を駆動して出入り動作させる機構と、
前記後ドア２には前記前ドア３の出入り方向に沿ってボールねじ付きのスライドレール１０が固定され、これに対応して前記前ドア２の対向側面に前後一対のスライド軸受１１が固定されており、前記スライドレール１０はその前面に平行に送りねじとしてのボールねじ１２を有し、このボールねじ１２は前記スライドレール１０の両端の軸受けに回転自在に支持されていて、前記スライド軸受１１はめねじ部を内蔵し、このめねじ部を介して前記ボールねじ１２と螺合するとともに、前記スライドレール１０と嵌合しており、前記ボールねじ１２の後部側の軸端には傘歯車１５が取り付けられるとともに、一端に前記傘歯車１５と噛み合う傘歯車１６が取り付けられ、他端に平歯車１７が取り付けられた歯車軸１８が前記ボールねじ１２と直交するように設けられ、この歯車軸１８は前記後ドア２に固着された支持アーム１９に転がり軸受２０を介して支持されており、前記平歯車１７はスライドレール６が取り付けられた前記戸袋１の側壁と反対側の側壁の内壁面に近接するとともに、この内壁面には前記後ドア２の開閉ストロークに相応する長さのラック２１が固定され、前記後ドア２と一体に移動する前記平歯車１７は前記戸袋１に固定された前記ラック２１との噛み合いにより回転する機構を備える後ドア２の出入り動作に連動させて前記前ドア３を出入り動作させるようにした機構と、を具備して構成されるプラットホーム用開閉柵。」
（２）引用文献２は、図面とともに次の事項が記載されている。 
（２ａ）「【請求項１】  
軌道のプラットホームに設置される衝立上の戸袋と、前記戸袋にスライド可能に支持させた後扉と、前記後扉にスライド可能に支持させた前扉とからなる
プラットホーム用２枚扉式可動柵において、
ベルト
プーリからなり、前記後扉に固定設置した駆動部によって
前記前扉を出入り動作させ
（２ｂ）「【０００１】
【発明の属する技術分野】
本発明は、軌道車両の駅構内のプラットホームに設置され、乗降客の線路上への転落事故あるいは列車との接触事故を防止する
プラットホーム用２枚扉式可動柵
（２ｃ）「【０００３】
【発明が解決しようとする課題】
上述の従来方式では、後扉に連動して直ちに同時平行的に前扉も開閉動作させる機構にラック、平歯車、歯車軸、転がり軸受、傘歯車という歯車機構を使い、さらにボールねじ付きのスライドレールを使っているため、部品点数も多く、組立工数大であること、騒音および保守性の面でも問題があった
リンク駆動においては、前扉に後扉が追従する機構のため、開閉動作が逐次的になり、開閉速度を迅速にする点において問題があった。
さらに、いずれの従来方式においても、標準駆動方式であるベルトあるいはボールねじによる簡単構造ではないため、駆動装置を２枚扉専用のものを設置する必要があり、１枚扉式と共通化できないという問題があった。」
（２ｄ）「【０００６】
【発明の実施の形態】
 以下、本発明の実施形態を図面を用いて説明する。
 図１は、本発明のプラットホーム用２枚扉式可動柵の一実施形態を示し、プラットホーム用２枚扉式可動柵（以下、単に可動柵と記すこともある。）の内部構造をホーム側から見た正面図である。図２は、本発明の扉開状態の動作図、図３は、図１の水平面のＡ−Ａ断面の断面図、図４は、図１の垂直面のＢ−Ｂ断面の断面図である。
これらの図において、可動柵は、衝立状の戸袋１と、この戸袋１に出入り自在に収納される前後２枚の引き戸式の扉２（後扉）及び３（前扉）とからなり、戸袋１は、プラットホーム４の床面に図示しないボルトにより固定されている。後扉２及び前扉３は、扉閉時には図１の戸袋１の右端の開口１ａから図示の通り押し出され、扉開時には図２の偏平な中空体からなる戸袋１内に引き入れられる。 ここで、後扉２は戸袋１にスライド可能に支持され、
前扉３は後扉２にスライド可能に支持されており
（２ｅ）「【０００７】
以下、その機構について説明する。
まず、戸袋１の一方の側壁の内壁面中央上部に、後扉２を案内支持するスライドレール５が固定され、これに対応して後扉２の側面中央上部の後側に前後一対のスライド軸受６が固定されている。スライド軸受６は、図４に示すように、スライドレール５と嵌合し、後扉２を支持しながらスライドする。図示しないが、スライド軸受６は、無限循環運動をする多数のボール等を介してスライドレール５と転がり接触するものであり、このようなスライドレール５及びスライド軸受６はいずれも公知である。スライド軸受６によりスライドレール５に支持された後扉２は、底部は逆Ｕ字断面のガイドレール１８と戸袋１の下部に固定された回転輪１７がスライド可能に嵌め込まれ、左右方向に振れ止めされている。一方、後扉２には、スライド軸受６のやや上に前扉３の出入り方向に沿ってスライドレール７が固定され、これに対応して前扉３の対向側面に前後一対のスライド軸受８が固定されている。後扉２と同方式でスライド軸受８は、図４に示すように、スライドレール７と嵌合し、前扉３を支持しながらスライドする。スライド軸受８によりスライドレール７に支持された前扉３は、前扉３の底部は逆Ｕ字断面のガイドレール２０と後扉２の下部に固定された回転輪１９がスライド可能に嵌め込まれ、左右方向に振れ止めされている。
一方、図３に示すように、
後扉２の一方の側壁の内壁面には、
プーリ１０を固定設置し、他方のアイドルプーリ１２は、前扉３の収納に干渉しない位置に後扉２と一体となった駆動部取付ブラケット１６に取付固定し、ベルト１１を取付ける。扉閉時は、前扉３は後扉２の中に完全に収納される。
ベルト１１の上部右側は前扉３から張り出したブラケット１４に固定支持されている。
なお、図１において、ベルト１１の下端に後扉２をブラケット１３によって固定支持し、ベルト１１の上端に前扉３をブラケット１４によって固定支持することに代えて、ベルト１１の上端に後扉２をブラケット１３によって固定支持し、ベルト１１の下端に前扉３をブラケット１４によって固定支持するようにしてもよい。」
（２ｆ）以下の【図１】及び【図３】が図示されている 
第４．対比・判断  
１．対比 
　本願発明と引用発明を対比する。
（１）後者の「戸袋１」は前者の「戸袋」に相当し、後者の「ドア２、３」は前者の「扉部」に相当し、後者の「前記戸袋１内に設置した駆動源で前記後ドア２を駆動して出入り動作させ、この後ドア２の出入り動作に連動させて前記前ドア３を出入り動作させるようにした機構」は前者の「駆動機構」に相当するといえる。また、後者は「前記ドア２、３を前記戸袋１にスライド可能に支持させた後ドア２と、この後ドア２にスライド可能に支持させた前ドア３とからなる２段式ドア」との構成を有すること、及び後者の「プラットホーム用開閉柵」は、「鉄道のプラットホーム４」の乗降用の開口部を開閉することは明らかであることを踏まえると、後者の「鉄道のプラットホーム４に設置される衝立状の戸袋１と、この戸袋１に出入り自在に収納される引き戸式のドア２、３とからなるプラットホーム用開閉柵」は、前者の「戸袋に収納された二段伸縮の扉部を駆動機構によりスライドさせて乗降用の開口部を開閉する２段伸縮ホームドア装置」に相当するといえる。
（２）後者の「後ドア２」及び「前ドア３」は前者の「第１段扉」及び「第２段扉」に相当するといえる。そして、後者の「前記ドア２、３を前記戸袋１にスライド可能に支持させた後ドア２と、この後ドア２にスライド可能に支持させた前ドア３とからなる２段式ドアとする」構成と、前者の「前記扉部は、第１段扉の内部に第２段扉がスライドして収納され、かつ、前記第１段扉が前記戸袋に対してスライド可能に支持されるとともに前記第２段扉が前記第１段扉に対してスライド可能に支持され」る構成とは、「前記扉部は、前記第１段扉が前記戸袋に対してスライド可能に支持されるとともに前記第２段扉が前記第１段扉に対してスライド可能に支持され」る構成の限度で共通するといえる。
　
（３）後者の「回転式モータ」と前者の「電動機」とは、「駆動装置」の限度で共通するといえるから、後者の「前記戸袋１内に設置した回転式モータで」「戸袋１にスライド可能に支持させた後ドア２」「を駆動して出入り動作させる機構」と、前者の「前記戸袋に固定設置されて電動機により前記戸袋に対して前記第１段扉をスライドさせる第１段扉駆動部」とは、「前記戸袋に固定設置されて駆動装置により前記戸袋に対して前記第１段扉をスライドさせる第１段扉駆動部」の限度で共通するといえる。 
（４）後者の「前記戸袋２の内壁面に」「固定され」た「前記後ドア２の開閉ストロークに相応する長さのラック２１」は、前者の「前記戸袋内に固定設置されたラックギア」に相当し、後者の「前記後ドア２に固着された支持アーム１９に転がり軸受２０を介して支持され」た「歯車軸１８」に「取り付けられた」「平歯車１７」は、後者の「前記第１段扉に取り付けられたピニオンギア」に相当し、後者の「前記後ドア２と一体に移動する前記平歯車１７は前記戸袋１に固定された前記ラック２１との噛み合いにより回転する機構」は、前者の「ラックギアに前記第１段扉に取り付けられたピニオンギアを噛合させ、前記第１段扉の移動に伴い前記ラックギアが前記ピニオンギアを回転させるラック＆ピニオン機構」に相当するといえる。また、後者の「歯車軸１８」の「他端に平歯車１７が取り付けられ」、「歯車軸１８」の「一端に取り付けられ前記傘歯車１５と噛み合う傘歯車１６」と前者の「前記ピニオンギアと同軸であり前記ピニオンギアと共に回転する駆動側シーブ」とは、「前記ピニオンギアと同軸であり前記ピニオンギアと共に回転する駆動側回転要素」の限度で共通し、後者の「前記ボールねじ１２の後部側の軸端には傘歯車１５が取り付けられるとともに、一端に前記傘歯車１５と噛み合う傘歯車１６が取り付けられ」る機構と前者の「前記駆動側シーブの回転によって駆動されるタイミングベルトとを備えているタイミングベルト機構」とは、「前記駆動側回転要素の回転運動を直線運動に変換する機構」の限度で共通し、後者の「後ドア２の出入り動作に連動させて前記前ドア３を出入り動作させるようにした機構」は前者の「第２段扉駆動部」に相当する。そうすると、後者の「前記後ドア２には前記前ドア３の出入り方向に沿ってボールねじ付きのスライドレール１０が固定され、これに対応して前記前ドア２の対向側面に前後一対のスライド軸受１１が固定されており、前記スライドレール１０はその前面に平行に送りねじとしてのボールねじ１２を有し、このボールねじ１２は前記スライドレール１０の両端の軸受けに回転自在に支持されていて、前記スライド軸受１１はめねじ部を内蔵し、このめねじ部を介して前記ボールねじ１２と螺合するとともに、前記スライドレール１０と嵌合しており、前記ボールねじ１２の後部側の軸端には傘歯車１５が取り付けられるとともに、一端に前記傘歯車１５と噛み合う傘歯車１６が取り付けられ、他端に平歯車１７が取り付けられた歯車軸１８が前記ボールねじ１２と直交するように設けられ、この歯車軸１８は前記後ドア２に固着された支持アーム１９に転がり軸受２０を介して支持されており、前記平歯車１７はスライドレール６が取り付けられた前記戸袋２の側壁と反対側の側壁の内壁面に近接するとともに、この内壁面には前記後ドア２の開閉ストロークに相応する長さのラック２１が固定され、前記後ドア２と一体に移動する前記平歯車１７は前記戸袋１に固定された前記ラック２１との噛み合いにより回転する機構を備える構成」と、前者の「前記戸袋内に固定設置されたラックギアに前記第１段扉に取り付けられたピニオンギアを噛合させ、前記第１段扉の移動に伴い前記ラックギアが前記ピニオンギアを回転させるラック＆ピニオン機構、前記ピニオンギアと同軸であり前記ピニオンギアと共に回転する駆動側シーブと、前記駆動側シーブの回転によって駆動されるタイミングベルトとを備えているタイミングベルト機構、前記第２段扉及び前記タイミングベルト機構の前記タイミングベルトに固定されて双方を連結する連結固定部材を備えている第２段扉駆動部」とは、「前記戸袋内に固定設置されたラックギアに前記第１段扉に取り付けられたピニオンギアを噛合させ、前記第１段扉の移動に伴い前記ラックギアが前記ピニオンギアを回転させるラック＆ピニオン機構、前記ピニオンギアと同軸であり前記ピニオンギアと共に回転する駆動側回転要素と、前記駆動側回転要素の回転運動を直線運動に変換する機構を備えている第２段扉駆動部」である限度で共通する。
  
　以上によれば、本願発明と引用発明との一致点及び相違点は以下のとおりである。 
＜一致点＞ 
　戸袋に収納された二段伸縮の扉部を駆動機構によりスライドさせて乗降用の開口部を開閉する２段伸縮ホームドア装置において、
　前記扉部は、前記第１段扉が前記戸袋に対してスライド可能に支持されるとともに前記第２段扉が前記第１段扉に対してスライド可能に支持され、
　前記駆動機構は、
　前記戸袋に固定設置されて電動機により前記戸袋に対して前記第１段扉をスライドさせる第１段扉駆動部と、
　前記戸袋内に固定設置されたラックギアに前記第１段扉に取り付けられたピニオンギアを噛合させ、前記第１段扉の移動に伴い前記ラックギアが前記ピニオンギアを回転させるラック＆ピニオン機構、前記ピニオンギアと同軸であり前記ピニオンギアと共に回転する駆動側回転要素と、前記駆動側回転要素の回転運動を直線運動に変換する機構を備えている第２段扉駆動部と、を具備して構成される２段伸縮ホームドア装置。
＜相違点１＞  
　本願発明は、「第１段扉の内部に第２段扉がスライドして収納され」るのに対し、
　引用発明は、「後ドア２にスライド可能に支持させた前ドア３とからなる２段式ドア」であるが、後ドア２の内部に前ドア３が収納されているものではない点。
＜相違点２＞
　「駆動装置」に関し、
　本願発明は、「電動機」であるのに対し、
　引用発明は、「回転式モータ」である点。
＜相違点３＞
　「第２段扉駆動部」に関し、
　本願発明は、「駆動側回転要素」が「駆動側シーブ」であり、「回転運動を直線運動に変換する機構」が「前記駆動側シーブの回転によって駆動されるタイミングベルトとを備えているタイミングベルト機構、前記第２段扉及び前記タイミングベルト機構の前記タイミングベルトに固定されて双方を連結する連結固定部材を備えている」のに対し、
　引用発明は、「駆動側回転要素」が「傘歯車１６」であり、「回転運動を直線運動に変換する機構」が「前記後ドア２には前記前ドア３の出入り方向に沿ってボールねじ付きのスライドレール１０が固定され、これに対応して前記前ドア２の対向側面に前後一対のスライド軸受１１が固定されており、前記スライドレール１０はその前面に平行に送りねじとしてのボールねじ１２を有し、このボールねじ１２は前記スライドレール１０の両端の軸受けに回転自在に支持されていて、前記スライド軸受１１はめねじ部を内蔵し、このめねじ部を介して前記ボールねじ１２と螺合するとともに、前記スライドレール１０と嵌合しており、前記ボールねじ１２の後部側の軸端には傘歯車１５が取り付けられる」点。
２．相違点についての判断  
（１）相違点１について 
　プラットホーム用開閉柵の分野において、２段式ドアを構成する場合に、本願発明のような後ドアの内部に前ドアを収納する手段と引用発明のような後ドアに対してオフセットして前ドアを配置する手段はいずれも従来からよく知られている。２つのよく知られた手段があるときに、いずれを採用するかは、当業者の通常の創作能力の発揮にすぎない。
　そして、引用文献２には、第２．１．（２）の記載事項（２ｄ）の「前扉３は後扉２にスライド可能に支持されており」との記載及び記載事項（２ｅ）の「扉閉時は、前扉３は後扉２の中に完全に収納される。」との記載から「後扉２の内部に前扉３がスライドして収納される構成」（以下「引用文献２に記載された技術的事項１」という。）が開示されているといえる。
　したがって、引用発明に引用文献２に記載された技術的事項１を参考にして、引用発明の「後ドア２にスライド可能に支持させた前ドア３とからなる２段式ドア」において、後ドア２の内部に前ドア３がスライドして収納される構成を採用することは、当業者であれば適宜になし得ることである。
　よって、引用発明において、上記相違点１に係る本願発明の発明特定事項とすることは、当業者が容易に想到し得たことである。
　　
（２）相違点２について
　引用発明の「回転モータ」は、リニアモータの代替として用いられているものであるから、リニアモータと同様に電動型のもの、つまり電動回転モータを採用することは、当業者であれば適宜になし得ることである。
　よって、引用発明において、上記相違点２に係る本願発明の発明特定事項とすることは、当業者が容易に想到し得たことである。
（３）相違点３について 
　相違点３は、「第２段扉駆動部」の構成において、ピニオンギアから得られた回転運動を直線運動に変換する機構に差異があり、本願発明では「駆動側シーブの回転によって駆動されるタイミングベルトとを備えているタイミングベルト機構」であるのに対し、引用発明は、いわゆるボールネジ・ナット機構を用いている点で相違することに集約されるものといえる。
　まず、回転運動を直線運動に変換する機構として、ベルト機構を用いること、ボールネジ・ナット機構を用いることは、いずれも機械工学の一般的技
術として従来からよく知られている。２つのよく知られた手段があるときに、いずれを採用するかは、当業者の通常の創作能力の発揮にすぎない。
　そして、引用文献２には、第２．１．（２）の記載事項（２ａ）〜（２ｃ）によれば、「プラットホーム用２枚扉式可動柵における前扉の駆動機構として、プーリ１０と、前記プーリ１０の回転によって駆動されるベルト１１とを備えているベルト機構、前扉及び前記ベルト機構の前記ベルト１１に固定されて双方を連結するブラケット１４を備えている構成を用いること。」（以下「引用文献２に記載された技術的事項２」という。）が開示されているといえる。
　そして、引用発明と引用文献２に記載された技術的事項２とは、２段式ドアによるプラットホーム用開閉柵という技術分野でも共通し、しかも、引用文献２には記載事項（２ｃ）に「上述の従来方式では、後扉に連動して直ちに同時平行的に前扉も開閉動作させる機構にラック、平歯車、歯車軸、転がり軸受、傘歯車という歯車機構を使い、さらにボールねじ付きのスライドレールを使っているため、部品点数も多く、組立工数大であること、騒音および保守性の面でも問題があった。」との知見が示されているから、引用発明に引用文献２に記載された技術的事項２を参考とする動機付けは充分存在するものといえる。
　そして、引用発明に引用文献２に記載された技術的事項２を参考にして、引用発明の「後ドア２の出入り動作に連動させて前記前ドア３を出入り動作させるようにした機構」において、「傘歯車１６」をプーリ（本願発明の「駆動側シーブ」に対応）に変更し、その後の機構として、プーリと、前記プーリの回転によって駆動されるベルトとを備えているベルト機構、前ドア３及び前記ベルト機構の前記ベルトに固定されて双方を連結するブラケット（本願発明の「連結固定部材」に対応）を備えている構成にすることは当業者であれば適宜になし得ることである。また、ベルトとしてタイミングベルトを用いることも設計的事項の範囲である。
　よって、引用発明において、上記相違点３に係る本願発明の発明特定事項とすることは、当業者が容易に想到し得たことである。
（４）そして、本願発明の効果についても、引用発明及び引用文献２に記載された技術的事項１、２から予測し得る程度のものであり、格別のものとはいえない。
３．小括  
　以上のとおり、本願発明は、引用発明及び引用文献２に記載された技術的事項１、２に基いて当業者が容易に発明をすることができたものである。  
第５．むすび  
　以上のとおり、本願発明は、特許法第２９条第２項の規定により特許を受けることはできない。  
　したがって、本願の他の請求項に係る発明について検討するまでもなく、本願は拒絶すべきものである。  
　よって、結論のとおり審決する。